【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
静磁場空間に配置された被検体に所定の撮像シーケンスに基づいて高周波磁場と傾斜磁場を印加して、前記被検体から発生する磁気共鳴信号を検出してｋ空間の計測データを取得する計測制御手段と、前記計測データを用いて画像を再構成する信号処理手段と、前記画像を表示する表示手段とを備え、
前記計測制御手段は、前記ｋ空間を複数の領域に分割してなる該ｋ空間の原点近傍の低周波領域と該低周波領域以外の高周波領域について、少なくとも一つの前記低周波領域と少なくとも一の高周波領域とを選択してそれらの前記計測データを取得することを、少なくとも選択する前記高周波領域を順次切替えて繰り返し、
前記信号処理手段は、前記繰り返し毎に、前記選択領域において新たに取得された計測データと非選択領域については過去に取得された計測データとを用いて前記画像再構成を行う磁気共鳴撮影装置において、
前記計測制御手段は、前記選択領域毎にその一部領域の計測データを取得してから異なる選択領域に移行することを、前記一部領域を替えて繰り返すことによって、前記全選択領域の計測データを取得することを特徴とする磁気共鳴撮影装置。
【請求項２】
前記少なくとも一の高周波領域は、複数の前記高周波領域に関して同じ頻度で選択されることを特徴とする請求項1に記載の磁気共鳴撮影装置。
【請求項３】
前記少なくとも一の高周波領域は、複数の前記高周波領域に関して前記低周波領域に近い高周波領域の方が遠い高周波領域よりも高い頻度で選択されることを特徴とする請求項1に記載の磁気共鳴撮影装置。
【請求項４】
選択される前記高周波領域が偶数の場合は、前記ｋ空間の中心に対して対称な複数の前記高周波領域が選択されることを特徴とする請求項1乃至３のいずれか1項に記載の磁気共鳴撮像装置。
【請求項５】
前記複数の領域は複数のブロックに纏められ、各ブロックは連続する前記領域のうちの少なくとも一つを含み、前記ブロック毎に前記領域が選択され、かつ各ブロック内で前記選択領域が順次切り替えられることを特徴とする請求項1乃至４のいずれか1項に記載の磁気共鳴撮像装置。
【請求項６】
前記ｋ空間の原点を含むブロックが前記低周波領域からなることを特徴とする請求項５に記載の磁気共鳴装置。
【請求項７】
前記撮像シーケンスは、一の繰返し周期の時間内に位相エンコードが異なる複数の前記磁気共鳴信号を取得することを特徴とする請求項１乃至６のいずれか１項に記載の磁気共鳴装置。
【請求項８】
前記撮像シーケンスは、一の繰返し周期の時間内で低周波領域から高周波領域に向かって位相エンコードを変えることを特徴とする請求項７に記載の磁気共鳴装置。
【請求項９】
静磁場発生手段と、傾斜磁場発生手段と、高周波磁場パルス照射手段と、被検体から発生する磁気共鳴信号を受信する受信手段と、前記静磁場発生手段と前記傾斜磁場発生手段と前記高周波磁場パルス照射手段と前記受信手段とを制御して撮像シーケンスを実行するシーケンサと、前記磁気共鳴信号に基づいて画像を再構成する信号処理手段とを備えた磁気共鳴撮像装置において、
前記シーケンサは、高周波磁場パルスを照射した後、リードアウト傾斜磁場を反転しながら繰り返し印加して複数の磁気共鳴信号を取得するシーケンスを実行するにあたって、計測データ空間を位相エンコード方向に中央領域と他の領域からなる複数の領域に分け、位相エンコード方向の計測ライン数を前記中央領域にＭ本、前記他の領域にＮ（但し、Ｎ＞Ｍ）本割り当てるとともに、前記磁気共鳴信号を前記中央領域にＫ個、前記他の領域にＬ個割り当て、かつＭ／Ｋ＜Ｎ／Ｌとなる条件で前記シーケンスにより、前記中央領域と前記他の領域の前記位相エンコードを同一方向にずらしながら前記中央領域はＭ本の計測ライン数、前記他の領域はＮより小さい数となる計測ライン数にそれぞれ対応する計測データを取得する一連のシーケンスを実行し、該一連のシーケンスを前記位相エンコードを変化させながら前記他の領域の未計測の計測ラインに対応する計測データを取得するように繰り返し実行するものであり、
前記信号処理手段は、前記一連のシーケンスの終了ごとに前記計測データに基づいて画像を再構成し、前記他の領域の未計測の計測データは、前回以前の一連のシーケンスの実行により得られた計測データを用いて画像を再構成することを特徴とする磁気共鳴撮像装置。
【手続補正２】
【補正対象書類名】明細書
【補正対象項目名】０００８
【補正方法】変更
【補正の内容】
【０００８】
【課題を解決するための手段】
上記課題を解決するために、本発明は、静磁場空間に配置された被検体に所定の撮像シーケンスに基づいて高周波磁場と傾斜磁場を印加して、前記被検体から発生する磁気共鳴信号を検出してｋ空間の計測データを取得する計測制御手段と、前記計測データを用いて画像を再構成する信号処理手段と、前記画像を表示する表示手段とを備え、前記計測制御手段は、前記ｋ空間を複数の領域に分割してなる該ｋ空間の原点近傍の低周波領域と該低周波領域以外の高周波領域について、少なくとも一つの前記低周波領域と少なくとも一の高周波領域とを選択してそれらの前記計測データを取得することを、少なくとも選択する前記高周波領域を順次切替えて繰り返し、前記信号処理手段は、前記繰り返し毎に、前記選択領域において新たに取得された計測データと非選択領域については過去に取得された計測データとを用いて前記画像再構成を行う磁気共鳴撮影装置において、前記計測制御手段は、前記選択領域毎にその一部領域の計測データを取得してから異なる選択領域に移行することを、前記一部領域を替えて繰り返すことによって、前記全選択領域の計測データを取得することを特徴とする。
具体的な一形態としては、静磁場発生手段と、傾斜磁場発生手段と、高周波磁場パルス照射手段と、被検体から発生する磁気共鳴信号を受信する受信手段と、前記静磁場発生手段と前記傾斜磁場発生手段と前記高周波磁場パルス照射手段と前記受信手段とを制御して撮像シーケンスを実行するシーケンサと、前記磁気共鳴信号に基づいて画像を再構成する信号処理手段とを備えた磁気共鳴撮像装置において、前記シーケンサは、高周波磁場パルスを照射した後、リードアウト傾斜磁場を反転しながら繰り返し印加して複数の磁気共鳴信号を取得するシーケンスを実行するにあたって、計測データ空間を位相エンコード方向に中央領域と他の領域からなる複数の領域に分け、位相エンコード方向の計測ライン数を前記中央領域にＭ本、前記他の領域にＮ（但し、Ｎ＞Ｍ）本割り当てるとともに、前記磁気共鳴信号を前記中央領域にＫ個、前記他の領域にＬ個割り当て、かつＭ／Ｋ＜Ｎ／Ｌとなる条件で前記シーケンスにより、前記位相エンコードを変化させながら前記中央領域はＭ本の計測ライン数、前記他の領域はＮより小さい数となる計測ライン数にそれぞれ対応する計測データを取得する一連のシーケンスを実行し、該一連のシーケンスを前記位相エンコードを変化させながら前記他の領域の未計測の計測ラインに対応する計測データを取得するように繰り返し実行するものであり、前記信号処理手段は、前記一連のシーケンスの終了ごとに前記計測データに基づいて画像を再構成し、前記他の領域の未計測の計測データは、前回以前の一連のシーケンスの実行により得られた計測データを用いて画像を再構成することを特徴とする。